【手続補正書】
【提出日】平成18年12月7日(2006.12.7)
【手続補正１】
【補正対象書類名】特許請求の範囲
【補正対象項目名】全文
【補正方法】変更
【補正の内容】
【特許請求の範囲】
【請求項１】
装置本体にはＸＹテーブルとホルダとハンマおよび釘供給装置が設けられ、ホルダが釘をばねの付勢で支持する一対の矩形部材を備え、一対の矩形部材の一方が釘保持溝を備え、遊技盤がＸＹテーブルに搭載され、ＸＹテーブルが釘打ち位置の座標データに基づいて位置決めされ、ホルダが釘供給部において釘供給装置から供給された釘を支持し、このホルダが釘供給部から釘打ち部に移動し、釘打ち部においてホルダが下降して当該支持した釘を遊技盤の釘打付け位置へ運び、この遊技盤の釘打付け位置に運ばれた釘をハンマが下降して遊技盤に打込む遊技盤の自動釘打ち装置であって、釘供給装置は、供給機と釘搬送部と釘分離送り部と導入口部と釘挿入補助機および釘押込み機を備え、釘挿入補助機は釘をばね部材の付勢で支持する一対の挾持部材を備え、一対の挾持部材が通し溝を備え、釘搬送部が供給機から供給される釘を一列に並べて搬送し、釘分離送り部が釘搬送部における釘を１本ずつ分離して送り出し、導入口部が釘搬送部から送り出される１本の釘を釘挿入補助機における一対の挾持部材の通し溝に導き、この一対の挾持部材の通し溝に導かれた１本の釘が釘押込み機で上から下に押されて上記釘挿入補助機のばね部材の付勢下による一対の挾持部材の通し溝とこの一対の挾持部材の直下に位置した上記ホルダのばねの付勢下による一対の矩形部材の保持溝部との両者に支持されることを特徴とする遊技盤の自動釘打ち装置。
【請求項２】
請求項１記載の１本の釘が一対の挾持部材の通し溝と一対の矩形部材の保持溝部との両者に支持された後、当該ホルダが一対の矩形部材で１本の釘を支持したまま釘打ち部に移動するのに伴い当該１本の釘が一対の挾持部材をばね部材の付勢に抗して押し拡げながら引き出されることを特徴とする遊技盤の自動釘打ち装置。
【手続補正２】
【補正対象書類名】明細書
【補正対象項目名】０００６
【補正方法】変更
【補正の内容】
【０００６】
本発明に係る遊技盤の自動釘打ち装置は、装置本体にはＸＹテーブルとホルダとハンマおよび釘供給装置が設けられ、ホルダが釘をばねの付勢で支持する一対の矩形部材を備え、一対の矩形部材の一方が釘保持溝を備え、遊技盤がＸＹテーブルに搭載され、ＸＹテーブルが釘打ち位置の座標データに基づいて位置決めされ、ホルダが釘供給部において釘供給装置から供給された釘を支持し、このホルダが釘供給部から釘打ち部に移動し、釘打ち部においてホルダが下降して当該支持した釘を遊技盤の釘打付け位置へ運び、この遊技盤の釘打付け位置に運ばれた釘をハンマが下降して遊技盤に打込む遊技盤の自動釘打ち装置であって、釘供給装置は、供給機と釘搬送部と釘分離送り部と導入口部と釘挿入補助機および釘押込み機を備え、釘挿入補助機は釘をばね部材の付勢で支持する一対の挾持部材を備え、一対の挾持部材が通し溝を備え、釘搬送部が供給機から供給される釘を一列に並べて搬送し、釘分離送り部が釘搬送部における釘を１本ずつ分離して送り出し、導入口部が釘搬送部から送り出される１本の釘を釘挿入補助機における一対の挾持部材の通し溝に導き、この一対の挾持部材の通し溝に導かれた１本の釘が釘押込み機で上から下に押されて上記釘挿入補助機のばね部材の付勢下による一対の挾持部材の通し溝とこの一対の挾持部材の直下に位置した上記ホルダのばねの付勢下による一対の矩形部材の保持溝部との両者に支持されることを最も主要な特徴とする。１本の釘が一対の挾持部材の通し溝と一対の矩形部材の保持溝部との両者に支持された後、当該ホルダが一対の矩形部材で１本の釘を支持したまま釘打ち部に移動するのに伴い当該１本の釘が一対の挾持部材をばね部材の付勢に抗して押し拡げながら引き出されてもよい。
【手続補正３】
【補正対象書類名】明細書
【補正対象項目名】０００７
【補正方法】変更
【補正の内容】
【０００７】
本発明に係る遊技盤の自動釘打ち装置は、導入口部が釘搬送部から送り出された１本の釘を一対の挾持部材の通し溝に導き、この一対の挾持部材の通し溝に導かれた１本の釘が釘押込み機で上から下に押されて釘挿入補助機のばね部材の付勢下による一対の挾持部材の通し溝とホルダのばねの付勢下による一対の矩形部材の保持溝部との両者に支持されるので、供給機から分離して送り出された１本の釘をホルダに適切に支持させ、作業効率を向上できるという利点がある。１本の釘が一対の挾持部材の通し溝と一対の矩形部材の保持溝部との両者に支持された後、当該ホルダが一対の矩形部材で１本の釘を支持したまま釘打ち部に移動するのに伴い当該１本の釘が一対の挾持部材をばね部材の付勢に抗して押し拡げながら引き出されれば、一対の挾持部材の開閉構造が簡単になるという利点がある。
【手続補正４】
【補正対象書類名】明細書
【補正対象項目名】００２４
【補正方法】変更
【補正の内容】
【００２４】
釘分離送り部８２には、図６、図７及び図１１に示すように釘搬送部８０の下に直交する方向に配設された摺動案内部材９４上を摺動自在に動く摺動子材９６が釘搬送部８０の両横にそれぞれ所定間隔を開けて配置され、これらが一体的に動くよう連結されている。各摺動子材９６にはそれぞれ支板９８が立設され、各支板９８の所定位置には、それぞれ分離用支杆１００、１０２の先端部が開口８８内に出入可能に臨むように突設されている。これらの分離用支杆１００、１０２は、釘８６の１本分より若干大きい間隔を開けて平行となるように配置されている。そして、一対の摺動子材９６が摺動案内部材９４上の２つの所定位置の間を１回往復動することにより、釘搬送部８０の斜向部８１上にある釘８６が２本の分離用支杆１００、１０２の間に入り、さらにこの釘８６がこの間から釘搬送部８０の先端側へ１本分離して送出される。このようにして釘８６を１本ずつ分離して送り出す。
【手続補正５】
【補正対象書類名】明細書
【補正対象項目名】００６４
【補正方法】変更
【補正の内容】
【００６４】
このようにホルダ５４を移動操作することによって、ホルダ５４に保持された釘８６を所定の打ち付け位置に位置決めでき、しかもすでに打ち付けられた釘８６の近傍に隣接して位置決めできる。さらに、この釘８６を打ち付け位置に位置決めして保持した状態では、遊技盤２８の表面に圧接した弾性押え部材２０２が密着したときの摩擦力で、遊技盤２８とホルダ５４との位置がずれないように確実に支持できる。
【手続補正６】
【補正対象書類名】明細書
【補正対象項目名】００６８
【補正方法】変更
【補正の内容】
【００６８】
さらに、操作部材２８０がローラ部材７６に作用して、保持溝部７０を開かせ釘８６を解放している間に、ホルダ５４は、ホルダ上下カム１０４、及びホルダ前後カム１０６の作用で、前述の図２０に示す動作と略逆の動作で図１４に示す当初位置に復帰する。また、ホルダ５４が打ち込まれた釘８６から離れた段階で、ハンマ２７２と操作部材２８０は、ハンマ上下カム１０８の作用で、図１４に示す遊技盤２８に打ち付けられた釘８６の頭より高い盤面より２０ミリメートルの高さの当初位置に復帰する。
【手続補正７】
【補正対象書類名】明細書
【補正対象項目名】００６９
【補正方法】変更
【補正の内容】
【００６９】
次に、前述の釘有無検出部５８で両ホルダ５４の少なくとも１方に釘８６が保持されていないことが検出されたときには、釘打ち回避動作が行われる。この回避動作は、ロックアップ装置２８８により、従動部材２５４をロックアップし、進退操作部材２４８に前進動作を行わせないことにより実行される。この場合には、ホルダ５４はホルダ上下カム１０４の作用で昇降動作だけを行うことになる。よって、ホルダ５４が前進されずホルダ５４に釘が保持されていてもハンマ２７２の直下に行かないのでハンマ２７２、及び操作部材２８０の昇降動作は空振りになる。このため２つのホルダ５４のうち、釘８６が保持されていたホルダ５４は釘８６を保持した状態で図１４に示す当初位置に復帰する。